(57)【特許請求の範囲】
【請求項１】
タッチスクリーンを具備する電子機器における画面を拡大する方法であって、
第１タッチ入力を感知するステップと、
前記第１タッチ入力のタッチ継続時間を確認するステップと、
前記第１タッチ入力のタッチ継続時間と基準時間とを比較して該タッチ継続時間が基準時間以上維持されると、画面拡大モードを活性化するステップと、
前記第１タッチ入力と異なる第２タッチ入力を感知するステップと、
前記第１タッチ入力の第１地点及び前記第２タッチ入力の第２地点に基づいて拡大領域を確認するステップと、
拡大割合を確認するステップと、
前記確認された拡大割合に基づいて前記確認された拡大領域を拡大表示するステップと、を有し、
前記拡大割合は、前記電子機器によって予め設定されるか又はユーザによって設定され、
前記第１タッチ入力及び前記第２タッチ入力は、それぞれ個別に入力されることを特徴とする画面拡大方法。
【請求項２】
電子機器における画面を拡大するための装置であって、
タッチスクリーンと、
前記タッチスクリーンを介して第１タッチ入力を感知し、該第１タッチ入力のタッチ継続時間を確認し、前記第１タッチ入力のタッチ継続時間と基準時間とを比較して該タッチ継続時間が基準時間以上維持されると、画面拡大モードを活性化し、前記第１タッチ入力と異なる第２タッチ入力を感知し、前記第１タッチ入力の第１地点及び前記第２タッチ入力の第２地点に基づいて拡大領域を確認し、拡大割合を確認し、前記確認された拡大割合に基づいて前記タッチスクリーンを介して前記確認された拡大領域を拡大表示する制御部と、を備え、
前記拡大割合は、前記電子機器によって予め設定されるか又はユーザによって設定され、
前記第１タッチ入力及び前記第２タッチ入力は、それぞれ個別に入力されることを特徴とする画面拡大装置。
【請求項３】
電子機器における画面を拡大するための装置であって、
タッチスクリーンと、
一つ以上の制御部と、
格納部と、
前記格納部に格納され、前記一つ以上の制御部によって実行可能に構成される一つ以上のプログラムと、を備え、
前記プログラムは、
第１タッチ入力を感知する命令語と、
前記第１タッチ入力のタッチ継続時間を確認する命令語と、
前記第１タッチ入力のタッチ継続時間と基準時間とを比較して該タッチ継続時間が基準時間以上維持されると、画面拡大モードを活性化する命令語と、
前記第１タッチ入力と異なる第２タッチ入力を感知する命令語と、
前記第１タッチ入力の第１地点及び前記第２タッチ入力の第２地点に基づいて拡大領域を確認する命令語と、
拡大割合を確認する命令語と、
前記確認された拡大割合に基づいて前記確認された拡大領域を拡大表示する命令語と、を含み、
前記拡大割合は、前記電子機器によって予め設定されるか又はユーザによって設定され、
前記第１タッチ入力及び前記第２タッチ入力は、それぞれ個別に入力されることを特徴とする画面拡大装置。
【発明の詳細な説明】
【技術分野】
【０００１】
本発明は、タッチスクリーンを具備する電子機器における画面を拡大するための装置及び方法に関する。
【背景技術】
【０００２】
有線又は無線通信技術、マルチメディア技術、ＣＰＵ及びメモリ等のハードウェア製作技術、電力充電技術等のあらゆる技術が発達することによって電子機器の機能が更に強化されている。
【０００３】
近来には、マルチメディアサービスの提供に応じて処理及び表示される情報量が増加することに伴って、空間活用度を改善して表示部のサイズを増加させることができるタッチスクリーンを具備した電子機器に対する関心が増加している。
【０００４】
タッチスクリーンは情報の入力と表示を一つのスクリーンで遂行する入力及び表示装置である。これによって、電子機器でタッチスクリーンを使用する場合、電子機器はキーパッドのような別の入力装置を除去して表示面積を増加させることができる。例えば、画面全体にタッチスクリーンが適用されたフルタッチ方式を使用する場合、電子機器の全面を画面として活用し、画面表示領域を広く使用することができる。
【０００５】
タッチスクリーンを具備する電子機器はキーパッドのような別の入力装置を使用しないことから、電子機器を操作する方式も異なる。これによって、タッチスクリーンを具備する電子機器に対するユーザインタフェースを要することになる。
【先行技術文献】
【特許文献】
【０００６】
【特許文献１】韓国特許出願公開第１０−２００８−００６８７８２号明細書
【発明の概要】
【発明が解決しようとする課題】
【０００７】
本発明は、上記従来技術に鑑みてなされたものであって、本発明の目的は、タッチスクリーンを具備する電子機器において、タッチ情報及びマルチタッチ情報に基づいてユーザが望む領域の画面を拡大し、画面拡大領域を確認するための装置及び方法を提供することにある。
【課題を解決するための手段】
【０００８】
上記目的を達成するためになされた本発明の一態様によるタッチスクリーンを具備する電子機器における画面を拡大する方法は、第１タッチ入力が感知されると、該第１タッチ入力のタッチ継続時間に基づいて画面拡大モードを活性化するステップと、第２タッチ入力が感知されると、前記第１タッチ入力の第１地点及び前記第２タッチ入力の第２地点に基づいて拡大領域を確認するステップと、前記拡大領域を拡大表示するステップと、を有することを特徴とする。
【０００９】
前記拡大領域を確認するステップは、前記第１タッチ入力のドラッグが感知されると、該ドラッグの距離に基づいて拡大領域を確認するステップを含み得る。
前記拡大領域を拡大表示するステップは、予め設定された拡大割合に基づいて前記拡大領域を拡大表示するステップを含み得る。
【００１０】
上記目的を達成するためになされた本発明の一態様による電子機器における画面を拡大するための装置は、タッチスクリーンと、前記タッチスクリーンを介して第１タッチ入力が感知されると、該第１タッチ入力のタッチ継続時間に基づいて画面拡大モードを活性化し、第２タッチ入力が感知されると、前記第１タッチ入力の第１地点及び前記第２タッチ入力の第２地点に基づいて拡大領域を確認し、前記タッチスクリーンを介して前記拡大領域を拡大表示する制御部と、を備えることを特徴とする。
【００１１】
前記制御部は、前記第１タッチ入力のドラッグが感知されると、該ドラッグの距離に基づいて拡大領域を確認することができる。
前記制御部は、予め設定された拡大割合に基づいて前記拡大領域を拡大表示することができる。
【００１２】
上記目的を達成するためになされた本発明の他の態様による電子機器における画面を拡大するための装置は、タッチスクリーンと、一つ以上の制御部と、格納部と、前記格納部に格納され、前記一つ以上の制御部によって実行可能に構成される一つ以上のプログラムと、を備え、前記プログラムは、第１タッチ入力が感知されると、該第１タッチ入力のタッチ継続時間に基づいて画面拡大モードを活性化する命令語と、第２タッチ入力が感知されると、前記第１タッチ入力の第１地点及び前記第２タッチ入力の第２地点に基づいて拡大領域を確認する命令語と、前記拡大領域を拡大表示する命令語と、を含むことを特徴とする。
【発明の効果】
【００１３】
本発明によれば、タッチスクリーンを具備する電子機器において、タッチ情報に基づいてユーザが望む領域に対する画面拡大サービスを提供することによって、電子機器のユーザが画面拡大サービスを手軽に利用できるという利点がある。
【図面の簡単な説明】
【００１４】
【図１】本発明の一実施形態による電子機器の構成を示すブロック図である。
【図２】本発明の一実施形態による電子機器でマルチタッチ情報に基づいて画面を拡大する手順を示す図である。
【図３】本発明の一実施形態による電子機器でマルチタッチ情報に基づいて画面を拡大する画面構成を示す図である。
【図４】本発明の一実施形態による電子機器でタッチ継続時間に基づいて画面を拡大する手順を示す図である。
【図５】本発明の一実施形態による電子機器でタッチ継続時間に基づいて画面を拡大する画面構成を示す図である。
【図６】本発明の一実施形態による電子機器で画面拡大アイコンを利用して画面を拡大する手順を示す図である。
【図７】本発明の一実施形態による電子機器で画面拡大アイコンを利用して画面を拡大する画面構成を示す図である。
【発明を実施するための形態】
【００１５】
以下、本発明を実施するための形態の具体例を、図面を参照しながら詳細に説明する。本発明を説明するに当たって、関連する公知機能或いは構成に対する具体的な説明が本発明の要旨を不明確にする恐れがあると判断される場合、その詳細な説明を省略する。後述する用語は、本発明における機能に基づいて定義した用語であって、これはユーザ及び運用者の意図又は慣例などによって異なり得る。従って、その定義は本明細書全般に亘る内容に基づいて定められるべきである。
【００１６】
以下、本発明は、タッチスクリーンを具備する電子機器における画面を拡大するための技術について説明する。
【００１７】
以下の説明で、電子機器は、タッチスクリーンを具備する移動通信端末機、スマートフォン、ＰＤＡ、携帯インターネット装置（ＭＩＤ：Ｍｏｂｉｌｅ  Ｉｎｔｅｒｎｅｔ  Ｄｅｖｉｃｅ）、ラップトップ、ウルトラモバイルＰＣ（ＵＭＰＣ：Ｕｌｔｒａ  Ｍｏｂｉｌｅ  ＰＣ）、タブレットＰＣ、ネットブック、ナビゲーション、ＭＰ３、ＰＭＰなどを含む。
【００１８】
図１は、本発明の一実施形態による電子機器のブロック構成を示す図である。
【００１９】
図示するように、電子機器は、制御部１００、入力部１０２、通信部１０４、表示部１０６、格納部１０８、及びオーディオ信号処理部１１０を含む。
【００２０】
制御部１００は、電子機器の全体的な動作を制御する。
【００２１】
制御部１００は、ユーザのタッチ情報に基づいて画面を拡大するように制御する。例えば、図３（ａ）に示すように、マルチタッチイベントが発生すると、制御部１００は、マルチタッチ情報に基づいて画面拡大領域を確認する。次に、制御部１００は、図３（ｂ）に示すように、画面拡大領域を拡大するように制御する。この際、制御部１００は、既設定の画面拡大割合又はユーザにより設定された画面拡大割合に応じて拡大領域を拡大する。
【００２２】
他の実施形態として、図５（ａ）に示すように、ユーザの第１タッチ５０１が基準時間以上維持されると、制御部１００は、画面拡大モードを活性化する。次に、第２タッチ入力が感知されると、制御部１００は、図５（ｂ）に示すように、第１タッチによるＡ地点５０１と第２タッチによるＢ地点５０３に基づいて画面拡大領域を確認する。次に、制御部１００は、図５（ｃ）に示すように、画面拡大領域を拡大するように制御する。この際、制御部１００は、既設定の画面拡大割合又はユーザにより設定された画面拡大割合に応じて拡大領域を拡大する。
【００２３】
また他の実施形態として、図５（ａ）に示すように、ユーザの第１タッチ５０１が基準時間以上維持されると、制御部１００は、画面拡大モードを活性化する。次に、第１タッチのドラッグが感知されると、制御部１００は、第１タッチのドラッグ距離に基づいて画面拡大領域を確認する。次に、制御部１００は、図５（ｃ）に示すように、画面拡大領域を拡大するように制御する。この際、制御部１００は、既設定の画面拡大割合又はユーザにより設定された画面拡大割合に応じて拡大領域を拡大する。
【００２４】
更に他の実施形態として、図７（ａ）に示すように、画面拡大アイコンが選択されると、制御部１００は、画面拡大モードを活性化する。次に、制御部１００は、図７（ｂ）及び図７（ｃ）に示すように、複数のタッチ地点に基づいて設定された画面拡大領域を確認する。次に、制御部１００は、図７（ｄ）に示すように、画面拡大領域を拡大するように制御する。この際、制御部１００は、既設定の画面拡大割合又はユーザにより設定された画面拡大割合に応じて拡大領域を拡大する。
【００２５】
入力部１０２は、ユーザの選択により発生する入力データを制御部１００に提供する。一例として、入力部１０２は、電子機器の制御のためのボタンを含む。他の例として、入力部１０２は、表示部１０６とは別にユーザからの入力データが提供されるキーパッドを含んでもよい。
【００２６】
通信部１０４は、音声及びデータ通信のためにアンテナで送受信される信号を処理する。
【００２７】
表示部１０６は、情報の表示機能を行なう。これによって、表示部１０６は、制御部１００の制御に従って、電子機器の状態情報、ユーザが入力する文字、動画及び画像などを表示する。一例として、表示部１０６は、制御部１００の制御に従って、画面拡大領域を拡大表示する。他の例として、表示部１０６は、図７（ａ）に示すように、画面拡大アイコンを表示する。
【００２８】
表示部１０６がタッチスクリーンで構成される場合、表示部１０６は、タッチスクリーンを通じて提供される入力データを制御部１００に提供する。
【００２９】
格納部１０８は、電子機器の動作を制御するプログラムを格納するプログラム格納部１１２、及びプログラム遂行中に発生するデータを格納するデータ格納部で構成される。一例として、プログラム格納部１１２は、画面拡大割合を格納する。他の例として、プログラム格納部１１２は、制御部１００で画面を拡大するための命令語の集合として命令語セット又はプログラムを格納してもよい。
【００３０】
オーディオ信号処理部１１０は、オーディオ信号の入出力を制御する。例えば、オーディオ信号処理部１１０は、制御部１００から提供されるオーディオ信号を、スピーカを通じて外部に送出し、マイクから提供されるオーディオ信号を制御部１００に提供する。
【００３１】
図２は、本発明の一実施形態による電子機器でマルチタッチ情報に基づいて画面を拡大する手順を示している。
【００３２】
図２を参照すると、制御部１００は、ステップ２０１で画面拡大サービスが活性化されているか否かを確認する。例えば、制御部１００は、ユーザにより画面拡大メニューが設定されているか否かを確認する。
【００３３】
画面拡大サービスが活性化されてない場合、制御部１００は、このアルゴリズムを終了する。
【００３４】
一方、画面拡大サービスが活性化された場合、制御部１００は、ステップ２０３に進行してマルチタッチイベントが発生するか否かを確認する。例えば、制御部１００は、図３（ａ）に示すように、ユーザにより表示部１０６がマルチタッチされるか否かを確認する。
【００３５】
マルチタッチイベントが発生しない場合、制御部１００は、このアルゴリズムを終了する。
【００３６】
一方、マルチタッチイベントが発生した場合、制御部１００は、ステップ２０５に進行してマルチタッチ情報に基づいて画面拡大領域を確認する。例えば、制御部１００は、図３（ａ）に示すように、ユーザによりタッチされたＡ地点３０１及びＢ地点３０３に基づいて画面拡大領域を確認する。
【００３７】
また、マルチタッチイベントが発生した場合、制御部１００は、ステップ２０７に進行して画面拡大割合を確認する。一例として、制御部１００は、ステップ２０５で確認された画面拡大領域のサイズと表示部１０６のサイズに基づいて画面拡大割合を決定できる。他の例として、制御部１００は、ユーザが設定した画面拡大割合を確認してもよい。また他の例として、制御部１００は、既設定の画面拡大割合を確認することもある。
【００３８】
次に、制御部１００は、ステップ２０９に進行してステップ２０５で確認された画面拡大領域とステップ２０７で確認された画面拡大割合に基づいて画面を拡大する。例えば、制御部１００は、図３（ａ）に示すように、画面拡大領域を確認した後、画面拡大割合に基づいて図３（ｂ）に示すように画面を拡大する。
【００３９】
最後に、制御部１００は、このアルゴリズムを終了する。
【００４０】
上述の実施形態で、制御部１００は、ステップ２０５でマルチタッチ情報に基づいて画面拡大領域を確認した後、ステップ２０７で画面拡大割合を確認する。この際、制御部１００は、画面拡大領域を確認するステップと画面拡大割合を確認するステップとを並列的に遂行可能である。これにより、制御部１００は、ステップ２０７で画面拡大割合を確認した後、ステップ２０５でマルチタッチ情報に基づいて画面拡大領域を確認してもよい。
【００４１】
上述の実施形態で、制御部１００は、マルチタッチ情報に基づいて画面拡大サービスを提供する。
【００４２】
他の実施形態として、制御部１００は、タッチ継続時間に基づいて画面拡大サービスを提供することができる。
【００４３】
図４は、本発明の一実施形態による電子機器でタッチ継続時間に基づいて画面を拡大する手順を示している。
【００４４】
図４を参照すると、制御部１００は、ステップ４０１で画面拡大サービスが活性化されているか否かを確認する。例えば、制御部１００は、ユーザにより画面拡大メニューが設定されているか否かを確認する。
【００４５】
画面拡大サービスが活性化されてない場合、制御部１００は、このアルゴリズムを終了する。
【００４６】
一方、画面拡大サービスが活性化された場合、制御部１００は、ステップ４０３に進行してタッチイベントが発生するか否かを確認する。例えば、制御部１００は、図５（ａ）に示すように、ユーザにより表示部１０６がタッチされるか否かを確認する。
【００４７】
タッチイベントが発生しない場合、制御部１００は、このアルゴリズムを終了する。
【００４８】
一方、タッチイベントが発生した場合、制御部１００は、ステップ４０５に進行して画面拡大モード活性化の有無を確認するためにタッチ継続時間と基準時間を比較する。即ち、制御部１００は、タッチ継続時間と基準時間を比較する。例えば、図５（ａ）に示すように、ユーザによりＡ地点５０１がタッチされた場合、制御部１００は、タッチ継続時間と基準時間を比較する。
【００４９】
タッチ継続時間が基準時間より長い場合、制御部１００は、ステップ４０７に進行して画面拡大モードを活性化する。  
【００５０】
画面拡大モードを活性化した後、制御部１００は、ステップ４０９に進行して画面拡大領域を確認する。一例として、図５（ｂ）に示すように、Ｂ地点５０３にタッチが感知された場合、制御部１００は、ユーザによりタッチされたＡ地点５０１及びＢ地点５０３に基づいて画面拡大領域を確認する。他の例として、Ａ地点５０１にタッチのドラッグが感知された場合、制御部１００は、Ａ地点５０１からのタッチドラッグ距離に基づいて画面拡大領域を確認してもよい。
【００５１】
また、画面拡大モードを活性化した後、制御部１００は、ステップ４１１に進行して画面拡大割合を確認する。一例として、制御部１００は、ステップ４０９で確認された画面拡大領域のサイズと表示部１０６のサイズに基づいて画面拡大割合を決定できる。他の例として、制御部１００は、ユーザが設定した画面拡大割合を確認してもよい。また他の例として、制御部１００は、既設定の画面拡大割合を確認することもある。
【００５２】
次に、制御部１００は、ステップ４１３に進行してステップ４０９で確認された画面拡大領域とステップ４１１で確認された画面拡大割合に基づいて画面を拡大する。例えば、制御部１００は、図５（ｂ）に示すように、画面拡大領域を確認し、画面拡大割合に基づいて図５（ｃ）に示すように画面を拡大する。
【００５３】
一方、タッチ継続時間が基準時間より短い場合、制御部１００は、ステップ４１５に進行してタッチ解除イベントが発生するか否かを確認する。
【００５４】
タッチ解除イベントが発生しない場合、制御部１００は、ステップ４０５に進行してタッチ継続時間と基準時間との比較を継続する。
【００５５】
一方、タッチ解除イベントが発生した場合、制御部１００は、画面拡大モードが活性化されないものと認識する。これによって、制御部１００は、このアルゴリズムを終了する。
【００５６】
最後に、制御部１００は、このアルゴリズムを終了する。
【００５７】
上述の実施形態で、制御部１００は、ステップ４０９でタッチ情報に基づいて画面拡大領域を確認した後、ステップ４１１で画面拡大割合を確認する。この際、制御部１００は画面拡大領域を確認するステップと画面拡大割合を確認するステップとを並列的に遂行可能である。これにより、制御部１００は、ステップ４１１で画面拡大割合を確認した後、ステップ４０９でタッチ情報に基づいて画面拡大領域を確認してもよい。
【００５８】
上述の実施形態で、電子機器で画面拡大サービスが活性化されている場合、画面拡大サービスを提供する。
【００５９】
他の実施形態として、電子機器で画面拡大サービスの活性化のためにアイコンを利用することもできる。
【００６０】
図６は、本発明の一実施形態による電子機器で画面拡大アイコンを利用して拡大する手順を示している。
【００６１】
図６を参照すると、制御部１００は、ステップ６０１で画面拡大サービスが活性化されているか否かを確認する。例えば、制御部１００は、ユーザにより画面拡大メニューが設定されているか否かを確認する。  
【００６２】
画面拡大サービスが活性化されてない場合、制御部１００は、このアルゴリズムを終了する。
【００６３】
一方、画面拡大サービスが活性化された場合、制御部１００は、ステップ６０３に進行して画面拡大アイコンを表示する。例えば、制御部１００は、図７（ａ）に示すように、表示部１０６に画面拡大アイコン７０１を表示する。ここで、画面拡大アイコンの位置はユーザにより変更されることもある。
【００６４】
次に、制御部１００は、ステップ６０５に進行して画面拡大アイコンが選択されるか否かを確認する。例えば、制御部１００は、ステップ６０３で表示された画面拡大アイコンがユーザによりタッチされるか否かを確認する。
【００６５】
画面拡大アイコンが選択されない場合、制御部１００は、このアルゴリズムを終了する。
【００６６】
一方、画面拡大アイコンが選択された場合、制御部１００は、ステップ６０７に進行して画面拡大モードを活性化する。
【００６７】
画面拡大モードを活性化した後、制御部１００は、ステップ６０９に進行して画面拡大領域を確認する。一例として、制御部１００は、図７（ｂ）及び（ｃ）に示すように、ユーザによりタッチされたＡ地点７０３及びＢ地点７０５に基づいて画面拡大領域を確認する。他の例として、画面拡大モードを活性化した後、ユーザによりタッチされたマルチタッチ情報に基づいて画面拡大領域を確認することもある。
【００６８】
また、画面拡大モードを活性化した後、制御部１００は、ステップ６１１に進行して画面拡大割合を確認する。一例として、制御部１００は、ステップ６０９で確認された画面拡大領域のサイズと表示部１０６のサイズに基づいて画面拡大割合を決定できる。他の例として、制御部１００は、ユーザが設定した画面拡大割合を確認してもよい。また他の例として、制御部１００は、既設定の画面拡大割合を確認することもある。
【００６９】
次に、制御部１００は、ステップ６１３に進行してステップ６０９で確認された画面拡大領域とステップ６１１で確認された画面拡大割合に基づいて画面を拡大する。例えば、制御部１００は、図７（ｂ）及び（ｃ）に示すように、画面拡大領域を確認し、画面拡大割合に基づいて図７（ｄ）に示すように画面を拡大する。
【００７０】
最後に、制御部１００は、このアルゴリズムを終了する。
【００７１】
上述の実施形態で、制御部１００は、ステップ６０９でマルチタッチ情報に基づいて画面拡大領域を確認した後、ステップ６１１で画面拡大割合を確認する。この際、制御部１００は、画面拡大領域を確認するステップと画面拡大割合を確認するステップとを並列的に遂行可能である。これにより、制御部１００は、ステップ６１１で画面拡大割合を確認した後、ステップ６０９でマルチタッチ情報に基づいて画面拡大領域を確認してもよい。
【００７２】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００７３】
１００    制御部
１０２    入力部
１０４    通信部
１０６    表示部
１０８    格納部
１１０    オーディオ信号処理部
１１２    プログラム格納部
【図１】
0006032702.tif 000002
【図２】
0006032702.tif 000003
【図３】
0006032702.tif 000004
【図４】
0006032702.tif 000005
【図５】
0006032702.tif 000006
【図６】
0006032702.tif 000007
【図７】
0006032702.tif 000008